Podtech/llm-jp-corpus-v4-ja_patent huggingface dataset:
【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
サンプル中の分析物の濃度を決定する方法であって、
前記サンプルに非サイクリックスキャンを適用するステップと、
前記サンプル中の前記分析物の濃度を決定するステップとを含む方法。
【請求項２】
サンプル中の分析物の濃度を決定するための、手持ち式分析物測定デバイスであって、センサストリップを受け取るようになっている非サイクリックスキャン式測定デバイスを備え、
前記非サイクリックスキャン式測定デバイスは、電気回路によって、ディスプレイに電気接続する少なくとも２つのデバイス接点を備え、
前記センサストリップは、少なくとも第１センサストリップ接点および第２センサストリップ接点を備え、前記第１センサストリップ接点は導体によって作用電極に電気接続し、前記第２センサストリップ接点は導体によって対向電極に電気接続し、
第１試薬層は、前記電極のうちの少なくとも１つの電極上にあり、前記第１試薬層は、オキシドレダクターゼおよび酸化還元対の少なくとも１つの種を含むデバイス。
【請求項３】
サンプル中の分析物の濃度を決定する方法であって、
前記サンプルにボルタンメトリー順方向リニアスキャンを適用するステップと、
得られる電流を測定するステップと、
前記測定された電流にデータ処理を適用するステップと、
前記サンプル中の前記分析物の濃度を決定するステップとを含む方法。
【請求項４】
サンプル中の分析物の濃度を決定するための、手持ち式分析物測定デバイスであって、センサストリップを受け取るようになっているボルタンメトリー走査式測定デバイスを備え、
前記ボルタンメトリー走査式測定デバイスは、電気回路によって、ディスプレイに電気接続する少なくとも２つのデバイス接点を備え、
前記センサストリップは、少なくとも、第１センサストリップ接点および第２センサストリップ接点を備え、前記第１センサストリップ接点は導体によって作用電極に電気接続し、前記第２センサストリップ接点は導体によって対向電極に電気接続し、
第１試薬層は、前記電極のうちの少なくとも１つの電極上にあり、前記第１試薬層は、オキシドレダクターゼおよび酸化還元対の少なくとも１つの種を含むデバイス。
【請求項５】
サンプル中の分析物の濃度を決定するための、手持ち式測定デバイスであって、
デバイスは、センサストリップを受け取るようになっており、デバイスは、
接点と、
少なくとも１つのディスプレイと、
前記接点と前記ディスプレイとの間の電気接続を確立する電子回路要素とを備え、前記電子回路要素は、
電気接続した状態の、電気充電器およびプロセッサとを備え、前記プロセッサは、コンピュータ読み取り可能ソフトウェアコードを含むコンピュータ読み取り可能記憶媒体に電気接続し、前記コンピュータ読み取り可能ソフトウェアコードは、前記プロセッサによって実行されると、前記プロセッサが、準積分、微分、準微分、およびその組み合わせからなる群から選択されるデータ処理を実施するようにさせるデバイス。
【請求項６】
サンプル中の分析物の濃度を決定するための、手持ち式測定デバイスであって、
デバイスは、センサストリップを受け取るようになっており、デバイスは、
接点と、
少なくとも１つのディスプレイと、
前記接点と前記ディスプレイとの間の電気接続を確立する電子回路要素とを備え、前記電子回路要素は、
電気接続した状態の、電気充電器およびプロセッサとを備え、前記プロセッサは、コンピュータ読み取り可能ソフトウェアコードを含むコンピュータ読み取り可能記憶媒体に電気接続し、前記コンピュータ読み取り可能ソフトウェアコードは、前記プロセッサによって実行されると、前記充電器が、前記接点を通してボルタンメトリースキャンを適用するようにさせるデバイス。
【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
以下のものを含む、二重特異性抗体またはその任意の機能的フラグメント：
（ｉ）阻害性受容体ＩＲｐ６０またはその相同体に特異的に結合する第１の標的認識成分；および
（ｉｉ）マスト細胞、好酸球および／または好塩基球に対して特異的なマーカーに特異的に結合する第２の標的認識成分。
【請求項２】
前記抗体が前記細胞に結合することにより、アレルギー性反応が阻害される請求項１に記載の二重特異性抗体。
【請求項３】
前記第１および第２の標的認識成分は、架橋剤、リンカー化合物、キャリア、合成スペーサー、固定化基質、および、（Ｇｌｙ４Ｓｅｒ）３モチーフに基づく柔軟な領域のいずれか１つを介して連結される請求項１に記載の二重特異性抗体。
【請求項４】
前記第１および第２の標的認識成分は架橋される請求項１に記載の二重特異性抗体。
【請求項５】
前記マーカーは、免疫グロブリン、Ｆｃ受容体、サイトカイン受容体、増殖因子受容体、接着分子、Ｉｇスーパーファミリー受容体、ケモカイン受容体、炎症性媒介因子受容体、ホルモン受容体、補体因子受容体、プロテアーゼにより活性化された受容体、および、酵素からなる群から選択されることができる請求項１〜４のいずれか一項に記載の二重特異性抗体。
【請求項６】
前記認識成分は、天然に存在する抗体、合成抗体または組換え抗体、単鎖Ｆｖ（ｓｃＦｖ）、二機能性ｓｃＦｖ、ジアボディー、Ｆ（ａｂ）ユニット、Ｆ（ａｂ’）ユニット、二重特異性Ｆ（ａｂ’）コンジュゲート、化学的に架橋された二機能性抗体、線状抗体、抗体のＦ（ａｂ’）２抗原結合性フラグメント、あるいはそれらの任意の機能性フラグメントのいずれか１つから選択される請求項１に記載の二重特異性抗体。
【請求項７】
前記認識成分はＦ（ａｂ’）ユニットである請求項１に記載の二重特異性抗体。
【請求項８】
前記マーカーは、ＩｇＥ、ｃＫＩＴ、ＩＬ−５Ｒ、ＣＣＲ３およびＦｃεＲＩのいずれかである請求項１に記載の二重特異性抗体。
【請求項９】
以下のものを含む、二重特異性抗体またはその任意の機能的フラグメント：
（ｉ）阻害性受容体ＩＲｐ６０またはその相同体に特異的に結合する第１の標的認識成分；および
（ｉｉ）ＩｇＥに特異的に結合する第２の標的認識成分。
【請求項１０】
以下のものを含む、二重特異性抗体またはその任意の機能的フラグメント：
（ｉ）阻害性受容体ＩＲｐ６０またはその相同体に特異的に結合する第１の標的認識成分；および
（ｉｉ）ｃＫＩＴに特異的に結合する第２の標的認識成分。
【請求項１１】
以下のものを含む、二重特異性抗体またはその任意の機能的フラグメント：
（ｉ）阻害性受容体ＩＲｐ６０またはその相同体に特異的に結合する第１の標的認識成分；および
（ｉｉ）ＦｃεＲＩに特異的に結合する第２の標的認識成分。
【請求項１２】
以下のものを含む、二重特異性抗体またはその任意の機能的フラグメント：
（ｉ）阻害性受容体ＩＲｐ６０またはその相同体に特異的に結合する第１の標的認識成分；および
（ｉｉ）ＣＣＲ３に特異的に結合する第２の標的認識成分。
【請求項１３】
以下のものを含む、二重特異性抗体またはその任意の機能的フラグメント：
（ｉ）阻害性受容体ＩＲｐ６０またはその相同体に特異的に結合する第１の標的認識成分；および
（ｉｉ）ＩＬ−５Ｒに特異的に結合する第２の標的認識成分。
【請求項１４】
請求項１〜１３のいずれか一項に記載の二重特異性抗体の少なくとも１つを活性な薬剤として含む医薬組成物。
【請求項１５】
緩衝剤、添加剤、安定化剤、希釈剤および／または賦形剤をさらに含む請求項１４に記載の医薬組成物。
【請求項１６】
請求項１〜１３のいずれか一項に記載の二重特異性抗体を含む、マスト細胞および／または好酸球および／または好塩基球媒介反応に関連した任意の疾患または状態を治療するための薬剤。
【請求項１７】
前記疾患は、アレルギー性喘息、アレルギー性鼻炎、アレルギー性結膜炎、アトピー性皮膚炎およびアトピー性湿疹、様々なアレルゲンに対するアレルギー性の障害および応答、全身性アナフィラキシー、全身性肥満細胞過剰増殖、限局性強皮症／色素性じんま疹、マスト細胞白血病、アテローム性動脈硬化、移植片拒絶、多発性硬化症、線維形成性肺疾患、神経線維腫症、ケロイド、強皮症、リウマチ様関節炎、変形性関節炎、急性痛風、眼の瘢痕性類天疱瘡、クローン病、腹膜癒着、慢性移植片対宿主病（ＧＶＨＤ）、好酸球増多筋痛症候群、気管支喘息、鼻ポリープ症、ヴェーゲナー肉芽腫症、間質性肺疾患および他の肺疾患、慢性好酸球性肺炎、過敏性肺臓炎、アレルギー性気管支肺アスペルギルス症、類肉腫症、特発性肺線維症、新生物疾患および骨髄増殖性疾患、Ｔ細胞リンパ腫およびホジキン病からなる群から選択される請求項１６に記載の薬剤。
【請求項１８】
好酸球の過活性または過形成に由来する任意の疾患または状態の治療における使用のための請求項１６に記載の薬剤。
【請求項１９】
前記状態は、外因性気管支喘息、アレルギー性鼻炎、オンコセルカ皮膚炎、アトピー性皮膚炎、鼻ポリープ症、小結節、好酸球増加症、リウマチ、皮膚炎および腫れ（ＮＥＲＤＳ）、脈管炎性肉芽腫性疾患、一時的脈管炎、チャーグ・ストラウス症候群、多関節炎、ヴェーゲナー肉芽腫症、多発性硬化症、移植片拒絶、気管支喘息、間質性肺疾患および他の肺疾患、好酸球性胸膜滲出、一過性肺好酸球浸潤物（Ｌｏｅｆｆｌｅｒ）、組織球症、慢性好酸球性肺炎、過敏性肺臓炎、アレルギー性気管支肺アスペルギルス症、特発性肺線維症、局所的好酸球増加症、ネコひっかき病、無熱性結核、幼児期におけるクラミジア肺炎、新生物疾患および骨髄増殖性疾患、気管支原性ガン、好酸球増加症候群、Ｔ細胞リンパ腫およびホジキン病、クローン病、春季角結膜炎母斑、若年性炎症結膜炎母斑、木村病、グレイヒ病からなる群から選択される請求項１６に記載の薬剤。
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
ジピリダモールを含有する、抗血小板剤に対する耐性の治療用医薬組成物。
【請求項２】
第一活性成分としてジピリダモールが、第二活性成分として抗血小板剤と一緒になって含まれる請求項１記載の医薬組成物。
【請求項３】
第一活性成分としてジピリダモールが、第二活性成分として抗血小板剤以外の抗血栓性成分と一緒になって含まれる請求項１記載の医薬組成物。
【請求項４】
第一活性成分としてジピリダモールが、第二活性成分として抗血小板剤と、第三活性成分として抗血栓性成分と一緒になって含まれる請求項１記載の医薬組成物。
【請求項５】
抗血栓性成分が、直接的トロンビンインヒビター、第Xa因子阻害剤、トロンビン/第Xa因子阻害剤併用剤、ヘパリン、低分子量ヘパリン、アルガトロバン、ビバルルジン、ヒルログ及びポリグリカンより選ばれる、請求項３又は４記載の医薬組成物。
【請求項６】
抗血小板剤に対する耐性の治療用医薬組成物の製造のためのジピリダモールの使用。
【請求項７】
患者が抗血小板剤による治療に対する耐性を示すかを測定するための診断方法であって、アネキシンVの結合が高められた血小板を確認するために患者から得られた血小板上のアネキシンVの結合密度を測定することを含む、前記方法。
【請求項８】
(a)アネキシンVと患者から得られる静止血小板とをインキュベートする工程、
(b)結合したアネキシンVの量を示す標準化方法で個体血小板のシグナル強度を求める工程であって、シグナルが、血小板に結合したアネキシンVが標識されているアネキシンV結合を検出するのに適したマーカーによって示される、前記工程、
(c)工程(b)において得られるシグナル強度(又は結合したアネキシンVの量)を標準血小板活性化(対照血小板)に対して血小板凝集の標準の応答を有する被検者の血小板から得られる対照シグナル強度(又は結合したアネキシンVの対照量)と比較する工程
を含む、請求項７記載の方法。
【手続補正書】
【提出日】平成20年5月8日(2008.5.8)
【手続補正１】
【補正対象書類名】特許請求の範囲
【補正対象項目名】請求項２
【補正方法】変更
【補正の内容】
【請求項２】
Ｃ2〜Ｃ8のアシル基が、アセチル、プロピオニル、ブチリル、イソブチリル、バレリル、イソバレリル、ピバロイル、カプロイルから選択される請求項１に記載の化合物。
【手続補正２】
【補正対象書類名】特許請求の範囲
【補正対象項目名】請求項３
【補正方法】変更
【補正の内容】
【請求項３】
Ｃ2〜Ｃ8のアシル基が、アセチル又はプロピオニルである請求項２に記載の化合物。
【手続補正３】
【補正対象書類名】特許請求の範囲
【補正対象項目名】請求項４
【補正方法】変更
【補正の内容】
【請求項４】
Ｃ2〜Ｃ8のアシル基が、プロピオニルである請求項３に記載の化合物。
【手続補正４】
【補正対象書類名】明細書
【補正対象項目名】００３９
【補正方法】変更
【補正の内容】
【００３９】
【化１３】
2007537182.tif 000001
【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2007537138.tif 000001
〔式中、Ｒは水素原子またはＣ1−4アルキル基を、ＸはＣＨ２、ＯまたはＳを示す。〕で表される化合物またはその塩。
【請求項２】
３−クロロ−２−［（２，４−ジオキソ−１，３−オキサゾリジン−３−イル）メチル］−５，６，７，８−テトラヒドロ−４−（４−メトキシフェニル）［１］ベンゾチエノ［２，３−ｂ］ピリジン−７−カルボキサミドまたはその塩、
３−クロロ−２−［（２，５−ジオキソ−１−ピロリジニル）メチル］−５，６，７，８−テトラヒドロ−４−（４−メトキシフェニル）［１］ベンゾチエノ［２，３−ｂ］ピリジン−７−カルボキサミドまたはその塩、あるいは、
３−クロロ−２−［（２，４−ジオキソ−１，３−チアゾリジン−３−イル）メチル］−５，６，７，８−テトラヒドロ−４−（４−メトキシフェニル）［１］ベンゾチエノ［２，３−ｂ］ピリジン−７−カルボキサミドまたはその塩。
【請求項３】
式
【化２】
2007537138.tif 000002
〔式中、Ｒは水素原子またはＣ1−4アルキル基を、ＸはＣＨ２、ＯまたはＳを、Ｒａは置換基を有していてもよいアリール基を、Ｒｂは置換基を有していてもよいアルキル基または置換基を有していてもよいアリール基であって、Ｒａとは異なる基を、＊は光学活性な不斉炭素の位置を示す。〕で表される光学活性化合物またはその塩のアミノ保護基を切断することを特徴とする、式
【化３】
2007537138.tif 000003
〔式中の記号は前記と同意義を示す。〕で表される光学活性化合物またはその塩の製造法。
【請求項４】
Ｒａは置換基を有していてもよいフェニル基を、Ｒｂは置換基を有していてもよいアルキル基または置換基を有していてもよいフェニル基であって、Ｒａとは異なる基を示す、請求項３に記載の製造法。
【請求項５】
式
【化４】
2007537138.tif 000004
〔式中、Ｒは水素原子またはＣ1−4アルキル基を、ＸはＣＨ２、ＯまたはＳを、Ｒｃは光学活性な不斉炭素を有するエステル基を、＊は光学活性な不斉炭素の位置を示す。〕で表される光学活性化合物またはその塩を加水分解することを特徴とする、式
【化５】
2007537138.tif 000005
〔式中の記号は前記と同意義を示す。〕で表される光学活性化合物またはその塩の製造法。
【請求項６】
式
【化６】
2007537138.tif 000006
〔式中、Ｒは水素原子またはＣ1−4アルキル基を、Ｑは脱離基または式
【化７】
2007537138.tif 000007
（式中、ＸはＣＨ２、ＯまたはＳを示す。）で表される基を示す。〕で表される化合物またはその塩と、光学活性な不斉炭素を有するアミン化合物もしくはアルコール化合物またはそれらの塩とを反応させて、ジアステレオマー混合物またはそれらの塩を得、当該ジアステレオマー混合物またはそれらの塩を光学分割し、Ｑが脱離基の場合は式
【化８】
2007537138.tif 000008
〔式中、Ｘは前記と同意義を示す。〕で表される化合物またはその塩をさらに反応させることを特徴とする、式
【化９】
2007537138.tif 000009
〔式中、Ｒｄは光学活性な不斉炭素を有するエステル化またはアミド化されたカルボキシル基を、＊は光学活性な不斉炭素の位置を、その他の記号は前記と同意義を示す。〕で表される光学活性化合物またはその塩の製造法。
【請求項７】
請求項１記載の化合物を含有してなる医薬。
【請求項８】
Ｔ細胞分化調節薬である請求項７記載の医薬。
【請求項９】
炎症性疾患の予防・治療剤である請求項７記載の医薬。
【請求項１０】
免疫性疾患の予防・治療剤である請求項７記載の医薬。
【請求項１１】
関節リウマチの予防・治療剤である請求項７記載の医薬。
【請求項１２】
【化１０】
2007537138.tif 000010
〔式中、Ｒは水素原子またはＣ１−４アルキル基を、Ｒａ’は置換基を有していてもよいアリール基を、Ｒｂ’は置換基を有していてもよいアルキル基を、ＸはＣＨ２、ＯまたはＳを、＊は光学活性な不斉炭素の位置を示す。〕で表される化合物またはその塩。
【請求項１３】
式
【化１１】
2007537138.tif 000011
〔式中、Ｒは水素原子またはＣ１−４アルキル基を、Ｘ’はＯまたはＳを、＊は光学活性な不斉炭素の位置を示す。〕で表される化合物またはその塩。
【請求項１４】
式
【化１２】
2007537138.tif 000012
〔式中、Ｒは水素原子またはＣ1−4アルキル基を、Ｘ’はＯまたはＳを、ＬはＣ1−4アルキル基を示す。〕で表される化合物またはその塩。
【請求項１５】
３−クロロ−２−［（２，４−ジオキソ−１，３−オキサゾリジン−３−イル）メチル］−５，６，７，８−テトラヒドロ−４−（４−メトキシフェニル）［１］ベンゾチエノ［２，３−ｂ］ピリジン−７−カルボキサミドまたはその塩。
【請求項１６】
３−クロロ−２−［（２，５−ジオキソ−１−ピロリジニル）メチル］−５，６，７，８−テトラヒドロ−４−（４−メトキシフェニル）［１］ベンゾチエノ［２，３−ｂ］ピリジン−７−カルボキサミドまたはその塩。
【請求項１７】
３−クロロ−２−［（２，４−ジオキソ−１，３−チアゾリジン−３−イル）メチル］−５，６，７，８−テトラヒドロ−４−（４−メトキシフェニル）［１］ベンゾチエノ［２，３−ｂ］ピリジン−７−カルボキサミドまたはその塩。
【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
アメニティー樹木および森林樹木の群から選択される植物またはその生育場所に、ニコチン性アセチルコリン受容体のアゴニストおよびアンタゴニストの種類から選択される化合物の少なくとも１種を施用することを含む、植物の成長を促進させるための方法。
【請求項２】
ネオニコチノイドの種類から選択される化合物の少なくとも１種が植物またはその生育場所に施用される、請求項１に記載の方法。
【請求項３】
イミダクロプリドが植物またはその生育場所に施用される、請求項１に記載の方法。
【請求項４】
アセタミプリドが植物またはその生育場所に施用される、請求項１に記載の方法。
【請求項５】
チアメトキサムが植物またはその生育場所に施用される、請求項１に記載の方法。
【請求項６】
ニテムピラムが植物またはその生育場所に施用される、請求項１に記載の方法。
【請求項７】
クロチアニジンが植物またはその生育場所に施用される、請求項１に記載の方法。
【請求項８】
チアクロプリドが植物またはその生育場所に施用される、請求項１に記載の方法。
【請求項９】
ジノテフランが植物またはその生育場所に施用される、請求項１に記載の方法。
【請求項１０】
前記化合物が植付け時に植物またはその生育場所に施用される、請求項１に記載の方法。
【請求項１１】
ニコチン性アセチルコリン受容体のアゴニストおよびアンタゴニストの種類から選択される化合物を、植物の成長を促進させるために使用する方法であって、前記化合物が植物またはその生育場所に施用される方法。
【請求項１２】
ニコチン性アセチルコリン受容体のアゴニストおよびアンタゴニストの種類から選択される化合物の少なくとも１種を含む組成物を、植物の成長を促進させるために、請求項１に記載の方法において使用する方法。
【請求項１３】
請求項１に記載の方法における、ニコチン性アセチルコリン受容体のアゴニストおよびアンタゴニストの種類から選択される化合物の使用。
【請求項１４】
請求項１に記載の方法における、ニコチン性アセチルコリン受容体のアゴニストおよびアンタゴニストの種類から選択される化合物の少なくとも１種を含む組成物の使用。
【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
式Ａ−Ｂの化合物であって、
Ａは、以下
【化１】
2007537147.tif 000001
からなる群より選択される部分であり、
ここで、Ｒ２は、水素またはＣ１−Ｃ６アルキルであり、そしてＸは、ハロゲン、ジアルキルスルフィニウム（ｄｉａｌｋｙｌｓｕｌｆｉｎｉｕｍ）、チオアルコキシまたはチオアリールオキシであり；そして
Ｂは、アルカノイル基、アロイル基、カルバモイル基または置換カルバモイル基である；化合物、あるいはその薬学的に受容可能な塩。
【請求項２】
請求項１に記載の化合物であって、Ｂは、式
【化２】
2007537147.tif 000002
の部分であり、
ここで、
Ｒ３は、水素またはアルキルであり；
Ｒ４およびＲ５は、各々、独立して、水素、置換アルキルもしくは非置換アルキル、置換アリールもしくは非置換アリール、置換アリールアルキルもしくは非置換アリールアルキル、置換ヘテロアリールもしくは非置換ヘテロアリールまたは置換ヘテロアルキルもしくは非置換ヘテロアルキルであるか；あるいは
Ｒ３およびＲ５は、一緒になってアルキレン基を形成し；
Ｚは、−Ｃ（Ｏ）−または−アルキレン−Ｃ（Ｏ）−であり；そして
Ｐは、−ＯＲ６または−Ｎ（Ｒ７）Ｒ８であり、ここで、Ｒ６、Ｒ７およびＲ８は、各々、独立して、水素、置換アルキルもしくは非置換アルキル、置換アリールもしくは非置換アリールまたは置換アザシクロアルキルもしくは非置換アザシクロアルキルであるか、あるいはＲ７およびＲ８は、該Ｒ７および該Ｒ８が結合する窒素原子と一緒になって、複素環式環構造を形成する、化合物。
【請求項３】
請求項１に記載の化合物であって、Ｂは、構造
【化３】
2007537147.tif 000003
の部分であり、
ここで、Ｒ５は、置換直鎖Ｃ１−Ｃ６アルキルもしくは非置換直鎖Ｃ１−Ｃ６アルキル、置換分枝Ｃ１−Ｃ６アルキルもしくは非置換分枝Ｃ１−Ｃ６アルキル、置換環状Ｃ１−Ｃ６アルキルもしくは非置換環状Ｃ１−Ｃ６アルキル、アリール、アリールアルキルまたはヘテロアリールであるか；あるいはＲ３およびＲ５は一緒になって、Ｃ３−Ｃ６アルキレン基を形成する、化合物。
【請求項４】
請求項３に記載の化合物であって、Ｒ５は、直鎖Ｃ１−Ｃ６アルキルまたは分枝Ｃ１−Ｃ６アルキル、ヒドロキシル置換された直鎖Ｃ１−Ｃ６アルキルまたはヒドロキシル置換された分枝Ｃ１−Ｃ６アルキルであり；そして
Ｒ３、Ｒ７およびＲ８は、各々、水素である、化合物。
【請求項５】
以下
【化４】
2007537147.tif 000004
【化５】
2007537147.tif 000005
からなる群より選択される化合物。
【請求項６】
請求項１または請求項２に記載の化合物および薬学的に受容可能なキャリアを含む、薬学的組成物。
【請求項７】
被験体における脈管形成疾患を処置するための組成物であって、該組成物が、治療的に有効な量の請求項１または請求項２に記載の化合物を含有する、組成物。
【請求項８】
前記脈管形成疾患が、癌である、請求項７に記載の組成物。
【請求項９】
前記脈管形成疾患が、リンパ腫である、請求項８に記載の組成物。
【請求項１０】
被験体における自己免疫疾患を処置するための組成物であって、該組成物が、治療的に有効な量の請求項１または請求項２に記載の化合物を含有する、組成物。
【請求項１１】
前記自己免疫疾患が、慢性関節リウマチ、乾癬または多発性硬化症である、請求項１０に記載の組成物。
【請求項１２】
被験体における寄生生物による感染を処置するための組成物であって、該組成物が、治療的に有効な量の請求項１または請求項２に記載の化合物を含有する、組成物。
【請求項１３】
前記感染が、Ｐｌａｓｍｏｄｉｕｍ種およびＬｅｉｓｈｍａｎｉａ種からなる群より選択される寄生生物による、請求項１２に記載の組成物。
【手続補正書】
【提出日】平成20年5月9日(2008.5.9)
【手続補正１】
【補正対象書類名】明細書
【補正対象項目名】００３７
【補正方法】変更
【補正の内容】
【００３７】
このような不斉反応は、触媒水素化、ヒドロシリル化、ヒドロホウ素化、ヒドロホルミル化、ヒドロカルボキシル化、ヒドロアシル化、Heck反応およびアリル位置換反応を含むが、これらに限定されない。本発明の触媒は、とりわけアリル位置換反応に用いるときに有効である。例えば、式(Ｉ)の化合物を、ジクロロメタン(ＤＣＭ)のような適当な有機溶媒中、アリルパラジウムクロライドのダイマーまたはトリス(ジベンジリデンアセトン)パラジウムのようなパラジウム錯体と反応させて、本発明の触媒を得ることができる。得られる触媒を、次いで、インサイチュで、適当なパラジウム触媒反応、例えば、アリル位アルキル化またはアリル位アミノ化反応のような、不斉アリル位置換反応において使用できる。
【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
バラスト水を処理するための方法であって、
水を、水源（たとえば、周囲の海、湖または河川）からフィルタを通して、水上を航行している船舶のバラストタンクへと、ポンプにより移送することと、
前記ポンプによる移送を停止したときの前記バラストタンク内の前記水が、当該水の窒素飽和含有量を超えているとともに酸素飽和含有量未満であるように、前記水のうちの少なくとも一部の溶融窒素含有量を、前記窒素飽和含有量を超えるレベルまで上昇させることと、
前記バラストタンクのヘッドスペース内を、大気の窒素含有量（モル％）よりも大きな窒素含有量を有する雰囲気に維持することと、
水を、前記バラストタンクから前記船舶の周辺の水の中にポンプにより移送させることと、
前記バラストタンクから前記ポンプにより移送される前記水に、前記船舶の周辺の水の中に排出するまえに、微生物を殺す処理を加えることと
を含む、方法。
【請求項２】
前記バラストタンクへ前記ポンプにより移送される前記水に、微生物を殺す追加処理を加えることをさらに含む、請求項１記載の方法。
【請求項３】
前記微生物を殺す処理および／または前記微生物を殺す追加処理は、電気ショック、照射殺菌、オゾン、加熱または圧力変化から選ばれる処理を前記水に加えることを含む、請求項１または２記載の方法。
【請求項４】
前記処理は、キャビテーション装置の使用を含む、請求項３記載の方法。
【請求項５】
前記水に蒸気を加えることを含む、請求項４記載の方法。
【請求項６】
前記微生物を殺す処理および前記微生物を殺す追加処理は、異なる処理からなる、請求項３乃至５のいずれか記載の方法。
【請求項７】
前記微生物を殺す処理および前記微生物を殺す追加処理は、同じ処理である、請求項３乃至５のいずれか記載の方法。
【請求項８】
前記微生物を殺す処理および前記微生物を殺す追加処理は、１つの微生物を殺すユニットにより行われる、請求項７記載の方法。
【請求項９】
前記バラストタンクに流入する水の一部にのみ窒素が注入される、請求項１乃至８のいずれか記載の方法。
【請求項１０】
前記水の略１０％に窒素が注入される、請求項８記載の方法。
【請求項１１】
バラスト水が前記船舶から排出される前に該バラスト水に酸素が加えられる、請求項１乃至１０のいずれか記載の方法。
【請求項１２】
水上を航行する船舶のバラスト水を処理するための装置であって、
水を、フィルタを通してバラストタンクの中に移送するための第一のポンプと、
前記第一のポンプにより水が通過させられうるフィルタと、
水を、前記第一のポンプから前記フィルタを通して前記バラストタンクまで搬送するための導管と、
前記第一のポンプから前記バラストタンクまでポンプにより移送されている水の少なくとも一部に窒素を注入するための窒素注入器と、
任意選択的な、前記窒素注入器に取り付けられているまたは取り付け可能な窒素供給源と、
水を、前記バラストタンクから導管を通って前記船舶の外へ移送するための（任意選択的に前記第一のポンプであることが好ましい）第二のポンプと、
前記バラストタンクから前記船舶の外へポンプにより移送されている水の中の微生物を殺すように構成されている微生物を殺すユニットと
を備えてなる、装置。
【請求項１３】
前記バラストタンクへ前記ポンプにより移送される前記水の微生物を殺すように構成されてなる微生物を殺すユニットをさらに備えてなる、請求項１２記載の装置。
【請求項１４】
各前記微生物を殺すユニットの一方又は両方が、電気ショック、照射殺菌、オゾン、加熱または圧力変化から選ばれる処理を前記水に加えるよう構成されてなる装置からなる、請求項１２または１３記載の装置。
【請求項１５】
前記微生物を殺すユニットは、キャビテーション装置である、請求項１４記載の装置。
【請求項１６】
前記水に蒸気を加えるための手段をさらに備えてなる、請求項１５記載の装置。
【請求項１７】
前記バラストタンクから前記船舶の外へポンプにより移送されている水の中の微生物を殺すように構成されている微生物を殺すユニットと、
前記バラストタンクへ前記ポンプにより移送される前記水の中の微生物を殺すように構成されてなる微生物を殺すユニットとは、異なるタイプの装置である、請求項１４記載の装置。
【請求項１８】
前記バラストタンクから前記船舶の外へポンプにより移送されている水の中の微生物を殺すように構成されている微生物を殺すユニットと、
前記バラストタンクへ前記ポンプにより移送される前記水の中の微生物を殺すように構成されてなる微生物を殺すユニットとは、同じタイプの装置である、請求項１４記載の装置。
【請求項１９】
１つの微生物を殺すユニットが、前記バラストタンクから前記船舶の外へポンプにより移送されている水の中の微生物を殺すように構成されている微生物を殺すユニットと、前記バラストタンクへ前記ポンプにより移送される前記水の中の微生物を殺すように構成されてなる微生物を殺すユニットと、の両方の役目を果たすよう構成されている、請求項１８記載の装置。
【請求項２０】
前記バラストタンクに流入する水の一部にのみ窒素が注入される、請求項１２乃至１９のいずれか記載の装置。
【請求項２１】
第一のポンプから前記フィルタを介して前記バラストタンクに水を運ぶ導管は、窒素注入器を経て水流の一部を導く第一の導管と、前記バラストタンクに前記水流の残りを導く第二の導管とを備えている、請求項２０記載の装置。
【請求項２２】
バラスト水を前記船舶から排出するまえに該バラスト水に酸素を加えるように構成されている酸素注入器をさらに備えてなる、請求項１２乃至２１のいずれか記載の装置。
【手続補正書】
【提出日】平成20年4月10日(2008.4.10)
【手続補正１】
【補正対象書類名】特許請求の範囲
【補正対象項目名】全文
【補正方法】変更
【補正の内容】
【特許請求の範囲】
【請求項１】
窒素系汚染物質及び脱窒反応器と流体連通している硝化反応器を含み、水の導入口を有するシステムを準備し、
前記システムに硝化反応器及び脱窒反応器を通過する流れを与えるために前記導入口から水を導入し、
前記硝化反応器に酸素ガスを導入して、窒素系汚染物質を酸化して酸化汚染物質を形成することができる硝化バクテリアを含むバイロフィルムを硝化反応器に構築し、
前記脱窒反応器に水素ガスを導入して、前記酸化汚染物質を還元することができる脱窒素バクテリアを含むバイオフィルムを構築し、
前記硝化反応器に導入する酸素ガス量を制御して前記脱窒反応器における酸化汚染物質の還元を促進することを含む、水から窒素系汚染物質を除去する方法。
【請求項２】
さらに、前記脱窒反応器に導入する水素ガス量を制御して酸化汚染物質の還元を促進することを含む請求項１の方法。
【請求項３】
前記酸素ガス量の制御を、前記硝化反応器に供給する酸素ガスの圧力を調整することによって行う請求項１又は２の方法。
【請求項４】
前記水素ガス量の制御を、前記脱窒反応器に供給する水素ガスの圧力を調整することによって行う請求項２又は３の方法。
【請求項５】
前記酸素ガス量の制御及び水素ガス量の制御を、水素ガス圧に対する酸素ガス圧の比を０．５から２．９とする請求項４の方法。
【請求項６】
複数の中空繊維膜を含む硝化反応器を準備し、複数の中空繊維膜に酸素ガスを導入することを含む請求項１から５のいずれか１つの方法。
【請求項７】
複数の中空繊維膜を含む脱窒反応器を準備し、複数の中空繊維膜に水素ガスを導入することを含む請求項１から６のいずれか１つの方法。
【請求項８】
第１コンポーネント及び第２コンポーネントを含むシステムに汚染物質を含む水を導入し、
第１コンポーネントに酸素ガスを、第２コンポーネントに水素ガスを、それぞれ接触させ、第１コンポーネント中に、窒素系汚染物質を酸化して酸化汚染物質を形成することができる硝化バクテリアを含むバイロフィルムを構築するとともに、第２コンポーネント中に、脱窒バクテリアを含むバイロフィルムを構築し、
第１コンポーネントの酸素ガス量を制御して、第２コンポーネントにおける酸化汚染物質の還元を促進する、水中の窒素系汚染物質を除去する方法。
【請求項９】
前記第２コンポーネントの水素ガス量を制御して、酸化された窒素系汚染物質の窒素ガスへの脱窒を促進する請求項８の方法。
【請求項１０】
前記第１コンポーネント及び第２コンポーネントは、複数の中空繊維膜を含む請求項８又は９の方法。
【請求項１１】
前記窒素汚染物質は、アンモニア、アンモニウムイオン及び窒素系有機化合物ならびにそれらの混合物から選択される請求項１から１０のいずれか１つの方法。
【請求項１２】
前記バクテリアは、独立栄養バクテリアである請求項１から１１のいずれか１つの方法。
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
分離可能なゴルフクラブであって、
上部シャフト部分の第一端部に配置された第一連結部および第二連結部の一方の側を備えた上部シャフト部分と、
下部シャフト部分の第一端部に配置された第一連結部および第二連結部のもう一方の側を備えた下部シャフト部分とを有し、
第一連結部は、第一接合表面を備えた第一ベースと、一つ以上の外方に突出する突出表面を備えた突出部を有する第一ロック部材と、実質的に剛性のガイドロッドとを有し、
第二連結部は、第二接合表面を備えた第二ベースと、アパーチャー、キャビティおよびボアを備えた第二ロック部材とを有し、
上記ボアはガイドロッドを受け入れるに適した孔であって、上記キャビティは第一ロック部材を受け入れるに適した窪みであって且つキャビティ表面を有し、上記突出表面とキャビティ表面は互いにある角度で曲げられており、第一ロック部材がキャビティ内に配置されているとき、第一連結部および第二連結部が回転するあいだに第一ベースおよび第二ベースが互いに押し込まれるものであること
を特徴とする分離可能なゴルフクラブ。
【請求項２】
第一ベースの外側表面は上部シャフト部分の外側表面と接し、第二ベースの外側表面は下部シャフト部分の外側表面と接していることを特徴とする請求項１記載の分離可能なゴルフクラブ。
【請求項３】
第一ベースの外側表面は第二ベースの外側表面と接していることを特徴とする請求項２記載の分離可能なゴルフクラブ。
【請求項４】
一つ以上の外方に突出する突出部の少なくとも一つは、使用中のゴルフクラブのスイング軌道に対する接線方向を向いていることを特徴とする請求項１記載の分離可能なゴルフクラブ。
【請求項５】
下部シャフト部分の第二端部はクラブヘッドを有することを特徴とする請求項１記載の分離可能なゴルフクラブ。
【請求項６】
クラブヘッドは、クラブヘッドにおいてゴルフクラブの重さを変えるための重り部材を有することを特徴とする請求項５記載の分離可能なゴルフクラブ。
【請求項７】
上部シャフト部分の第二端部はグリップを有することを特徴とする請求項１記載の分離可能なゴルフクラブ。
【請求項８】
一つ以上の突出部は実質的に平らであることを特徴とする請求項１記載の分離可能なゴルフクラブ。
【請求項９】
分離可能なゴルフクラブであって、
上部シャフト部分の第一端部に配置された第一連結部および第二連結部の一方の側を備えた上部シャフト部分と、
下部シャフト部分の第一端部に配置された第一連結部および第二連結部のもう一方の側を備えた下部シャフト部分とを有し、
第一連結部は、第一接合表面を備えた第一ベースと、一つ以上の外方に突出する突出表面を備えた突出部を有する第一ロック部材と、ガイドロッドとを有し、
第二連結部は、第二接合表面を備えた第二ベースと、アパーチャー、キャビティおよびボアを備えた第二ロック部材とを有し、
上記ボアはガイドロッドを受け入れるに適した孔であって、上記キャビティは第一ロック部材を受け入れるに適した窪みであって且つキャビティ表面を有し、上記突出表面とキャビティ表面は互いにある角度で曲げられており、第一ロック部材がキャビティ内に配置されているとき、第一連結部および第二連結部が回転するあいだに第一ベースおよび第二ベースが互いに押し込まれるものであり、
第一連結部および第二連結部の一方は、第一連結部および第二連結部の一方の側においてゴルフクラブの重さを変えるためのインサートを有すること
を特徴とする分離可能なゴルフクラブ。
【請求項１０】
分離可能なゴルフクラブであって、
上部シャフト部分は第一端部および第二端部を備え、上部シャフト部分の第一端部はグリップを備え、上部シャフト部分の第二端部は実質的に剛性のロック部材を有する第一連結部を備え、
下部シャフト部分は第一端部および第二端部を備え、下部シャフト部分の第一端部は第一連結部の実質的に剛性のロック部材に取り外し可能に係合するに適した第二連結部を備え、
第一連結部、第二連結部、上部シャフト部分および下部シャフト部分の一方の側に開口を経てインサート可能な重り部材は、クラブの重さを変えることができること
を特徴とする分離可能なゴルフクラブ。
【請求項１１】
重り部材は両連結部およびインサートの一方を含み、上記インサートは両連結部の一方のキャビティ内に配置するに適していることを特徴とする請求項１０記載の分離可能なゴルフクラブ。
【請求項１２】
重り部材は、上部シャフト部分および下部シャフト部分の少なくとも一方のキャビティ内に配置するに適している異なる重さの複数のインサートの一つを含むことを特徴とする請求項１０記載の分離可能なゴルフクラブ。
【請求項１３】
下部シャフト部分の第二端部はクラブヘッドを有することを特徴とする請求項１０記載の分離可能なゴルフクラブ。
【請求項１４】
第一連結部は、第一接合表面を備える第一ベースと、第一ロック部材とを有することを特徴とする請求項１０記載の分離可能なゴルフクラブ。
【請求項１５】
ロック部材は一つ以上の外方に突出した突出部材を有することを特徴とする請求項１４記載の分離可能なゴルフクラブ。
【請求項１６】
第二連結部は、第二接合表面を備える第二ベースと、第二ロック部材とを有することを特徴とする請求項１０記載の分離可能なゴルフクラブ。
【請求項１７】
第二ロック部材は、アパーチャー、キャビティおよびボアを有することを特徴とする請求項１６記載の分離可能なゴルフクラブ。
【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
生分解性コーティングを含む物品であって、当該コーティングが、1以上のペンダント結合基を含む天然生分解性多糖を含み、
ここで、当該コーティングが、結合基の反応によって当該物品の表面に形成されて、多数の天然生分解性多糖の架橋マトリックスを形成し、そして、当該性分解性多糖が500,000 Da以下の分子量を有する、前記物品。
【請求項２】
前記天然生分解性多糖が、50,000 Da以下の分子量を有する、請求項１記載の物品。
【請求項３】
前記天然生分解性多糖が、500 Da以上の分子量を有する、請求項２記載の物品。
【請求項４】
生分解性多糖が1000 Da〜10,000 Daの範囲の分子量を有する、請求項３記載の物品。
【請求項５】
前記天然生分解性多糖が、アミロース、マルトデキストリン、アミロペクチン、デンプン、デキストラン、ヒアルロン酸、ヘパリン、コンドロイチン硫酸、デルマタン硫酸、ヘパラン硫酸、ケラタン硫酸、デキストラン硫酸、ペントサンポリ硫酸及びキトサンからなる群より選ばれる、請求項１記載の物品。
【請求項６】
生分解性多糖が、アミロース及びマルトデキストリンからなる群より選ばれる、請求項５記載の物品。
【請求項７】
前記結合基が重合性基である、請求項１記載の物品。
【請求項８】
前記重合性基が、ビニル基、アクリレート基、メタクリレート基、エタクリレート基、2-フェニルアクリレート基、アクリルアミド基、メタクリルアミド基、イタコネート基及びスチレン基からなる群より選ばれる、請求項１記載の物品。
【請求項９】
前記結合基が、天然生分解性多糖のミリグラム当たり、0.7μmol以下の結合基の量で天然生分解性多糖上に存在する、請求項１記載の物品。
【請求項１０】
前記結合基が、天然生分解性多糖のミリグラム当たり、0.3〜0.7μmolの結合基の範囲の量で天然生分解性多糖上に存在する、請求項９記載の物品。
【請求項１１】
移植可能な医療物品である、請求項１記載の物品。
【請求項１２】
血管用物品である、請求項１１記載の物品。
【請求項１３】
眼科用物品である、請求項１１記載の物品。
【請求項１４】
前記コーティングが生物活性剤を含む、請求項１記載の物品。
【請求項１５】
前記生物活性剤が、ポリペプチド、核酸及び多糖を含む群より選ばれる、請求項１４記載の物品。
【請求項１６】
前記生物活性剤が10,000 Da以上の分子量を有する、請求項１４記載の物品。
【請求項１７】
前記生物活性剤が血栓症を促進する、請求項１４記載の物品。
【請求項１８】
前記コーティングがミクロスフェアを含む、請求項１記載の物品。
【請求項１９】
前記ミクロスフェアが、抗増殖剤、抗有糸分裂剤及び抗生物質からなる群より選ばれる生物活性剤を含む、請求項１８記載の物品。
【請求項２０】
前記ミクロスフェアが生分解性ポリマー材料を含む、請求項１８記載の物品。
【請求項２１】
生分解性コーティングを形成する方法であって、以下：
(a) 物品を提供するステップ;
(b) 当該物品上にコーティング組成物を処置するステップ、ここで、当該コーティング組成物は、1以上のペンダント結合基を含む天然生分解性多糖を含み、当該生分解性多糖は、500,000 Da以下の分子量を有する；及び
(c) 当該結合基を反応させて、多数の天然生分解性多糖の架橋マトリックスを含むコーティングを形成すること、
を含む、前記方法。
【請求項２２】
前記1以上のペンダント基が重合性基を含み、前記コーティング組成物が重合開始剤を含み、そして、前記反応ステップが当該重合開始剤を活性化することを含む、請求項２１記載の方法。
【請求項２３】
前記重合開始剤が光反応性基を含む、請求項２２記載の方法。
【請求項２４】
前記天然生分解性多糖が5〜50％（w/v）の範囲の濃度で存在する、請求項２２記載の方法。
【請求項２５】
生分解性コーティングを含む物品であって、当該コーティングが、アミロース及びマルトデキストリンから選ばれる天然生分解性多糖を含み、当該天然生分解性多糖は1以上のペンダント結合基を含み、
ここで、当該コーティングは当該結合基の反応によって当該物品表面上に形成されて、多数の天然生分解性多糖の架橋マトリックスを形成する、前記物品。
【請求項２６】
ペンダント結合基を有する天然生分解性多糖を含む生分解性コーティングを有する、対象に生物活性剤を送達するための被覆物品であって、
当該物品は、対象に提供され、
当該コーティングは、当該結合基の反応により当該物品の表面上に形成されて、多数の天然生分解性多糖の架橋マトリックスを形成し、当該コーティングは生物活性剤を含み；
当該生分解性コーティングの分解及び当該生物活性剤の放出は、当該物品をカルボヒドラーゼと接触させることによって促進される、前記物品。
【請求項２７】
移植可能な医療物品であって、以下：
表面、
500,000 Da以下の分子量を有する多数の架橋された天然生分解性多糖から形成された生分解性マトリックス、及び
当該マトリックス内に包含された生物活性剤、ここで、当該生物活性剤は、表面でマトリックスの分解を引き起こす多糖-分解酵素と接触したときに表面から放出され得る、前記物品。
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
大型車用のタイヤであって、補強要素の少なくとも２枚の実働クラウンプライで形成されたクラウン補強材を含むラジアルカーカス補強材を有し、前記補強要素が、一方の前記プライから他方の前記プライまで交差していて、周方向と１０°〜４５°の角度をなし、前記クラウン補強材それ自体の上部には半径方向にトレッドが設けられ、前記トレッドが、２つのサイドウォールによって２つのビードに接合され、前記クラウン補強材が、２枚の前記実働クラウンプライ相互間に、前記補強要素の少なくとも１枚の追加のプライを有するタイヤにおいて、半径方向に見て前記カーカス補強材の最も近くに位置する前記補強要素の前記実働プライの軸方向端部は、前記追加のプライの半径方向外側に位置する実働クラウンプライの軸方向端部を覆うよう上に曲げられている、タイヤ。
【請求項２】
半径方向に見て前記カーカス補強材の最も近くに位置する前記補強要素の前記軸方向端部は、補強要素の前記追加のプライの前記軸方向端部の軸方向内側に位置している、請求項１記載のタイヤ。
【請求項３】
半径方向に見て前記カーカス補強材の最も近くに位置する前記補強要素プライの前記補強要素は、弾性を有する、請求項１又は２記載のタイヤ。
【請求項４】
半径方向に見て前記カーカス補強材の最も近くに位置する前記補強要素の前記軸方向端部は、半径方向最も外側に位置する実働クラウンプライの軸方向端部を覆っている、請求項１〜３のうちいずれか一に記載のタイヤ。
【請求項５】
前記追加のプライは、前記軸方向幅の少なくとも一部にわたり、周方向に差し向けられた補強要素で形成されている、請求項１〜４のうちいずれか一に記載のタイヤ。
【請求項６】
前記追加のプライは、各々が周方向補強要素で形成されているストリップの形態をした少なくとも２つの側方部分で形成されている、請求項５記載のタイヤ。
【請求項７】
前記追加のプライは、実質的にラジアル補強要素から成るプライで形成された中央部分を有する、請求項６記載のタイヤ。
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
トレッドをいだいているクラウンと、クラウン補強材と、２つのビード付きの２つのサイドウォールと、前記２つのサイドウォール内を通り、繋留手段によって前記２つのビード内に繋留されたカーカス補強材とを有するタイヤであって、前記繋留手段が、少なくとも１つのビード内に、周方向に差し向けられ、「繋留ゴム」と呼ばれているゴムコンパウンドと協働する周方向整列状態の少なくとも１つの繋留補強部材を有するタイヤにおいて、前記繋留補強部材は、ピッチがｐ1で螺旋に互いに巻かれた直径ｄ1のＭ本のワイヤの内側層Ｃ１それ自体をピッチｐ2で螺旋に互いに巻かれた直径ｄ2のＮ本のワイヤの外側層Ｃ２で包囲して構成されたＭ＋Ｎ構造の２つの層を有する金属ケーブルであり、前記金属ケーブルは、以下の特徴（ｄ1、ｄ2、ｐ1、ｐ2の単位は、ｍｍ）、即ち、
−  ２≦Ｍ≦４
−  Ｍ＋３≦Ｎ≦Ｍ＋７
−  ０．２５＜ｄ1＜０．４０
−  ０．２５＜ｄ2＜０．４０
−  ３．５＜ｐ1＜７＜ｐ2＜１４
を更に有する、タイヤ。
【請求項２】
前記層Ｃ１，Ｃ２の前記ワイヤは、同一直径（ｄ1＝ｄ2）のものである、請求項１記載のタイヤ。
【請求項３】
前記層状ケーブルの前記層Ｃ１，Ｃ２は、同一の捩じり方向に巻かれている、請求項１又は請求項２記載のタイヤ。
【請求項４】
前記外側層Ｃ２は、６〜１０本のワイヤから成る、請求項１乃至３のいずれか１項に記載のタイヤ。
【請求項５】
前記外側層Ｃは、不飽和層である、請求項１乃至４のいずれか１項に記載のタイヤ。
【請求項６】
前記層状ケーブルは、２＋７構造、３＋８構造、及び４＋９構造の中から選択される、請求項１乃至５のいずれか１項に記載のタイヤ。
【請求項７】
前記層状ケーブルは、以下の特徴、即ち、
０．３０＜ｄ1＜０．４０
０．３０＜ｄ2＜０．４０
４．０＜ｐ1＜７且つ８＜ｐ2＜１４
を有する、請求項１乃至６のいずれか１項に記載のタイヤ。
【請求項８】
前記ケーブルの破断時における全伸び率（Ａｔ）は、２．５％よりも高い、請求項１乃至７のいずれか１項に記載のタイヤ。
【請求項９】
前記ケーブルの動作伸び率（構造的及び弾性的）（Ａｆ）は、４．０％よりも高い、請求項１乃至８のいずれか１項に記載のタイヤ。
【請求項１０】
前記繋留ゴムは、ポリブタジエン、天然ゴム、合成ポリイソプレン、ブタジエンコポリマー、イソプレンコポリマー、及びこれらのエラストマーの混合物から成る群から選択された少なくとも１つのジエンエラストマーから成る、請求項１乃至９のいずれか１項に記載のタイヤ。
【請求項１１】
前記繋留ゴムは、前記加硫状態において、２０ＭＰａよりも高い１０％伸び率における割線引張モジュラスＥ１０を有する、請求項１乃至１０のいずれか１項に記載のタイヤ。
【請求項１２】
前記繋留ゴムは、強化用樹脂から成る、請求項１乃至１１のいずれか１項に記載のタイヤ。
【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
溶融エラストマーポリマー組成物を成形工具上に送達する工程と、
前記エラストマーポリマー組成物の溶融加工温度未満のロール温度に前記成形工具を維持する工程と、
前記エラストマーポリマー組成物の少なくとも一部上で溶融アンカーポリマー組成物を付着させる工程と、
前記アンカーポリマー組成物をベース基材の第１の主面に転送する工程であって、前記基材の第１の主面と前記アンカーポリマー組成物との接触を含む工程と、
転送後に前記成形工具から前記エラストマーポリマー組成物を分離する工程と
を含む複合ウェブの製造方法であって、
前記ベース基材の第１の主面上に１個以上の弾性複合構造体を含む複合ウェブが形成され、各弾性複合構造体が２個のアンカーに取り付けられた弾性構成部品を含み、前記アンカーが前記アンカーポリマー組成物を含み、そして前記弾性構成部品が前記弾性ポリマー組成物を含む方法。
【請求項２】
ベース基材および弾性基材をニップに送達する工程と、
前記ベース基材と前記弾性基材との間に溶融アンカーポリマー組成物を送達する工程と
を含む複合ウェブの製造方法であって、
前記ベース基材の第１の主面上に１個以上の弾性複合構造体を含む複合ウェブが形成され、各弾性複合構造体が２個のアンカーに取り付けられたエラストマー構成部品を含み、前記アンカーが前記アンカーポリマー組成物を含み、そして前記弾性構成部品が前記弾性基材を含む方法。
【請求項３】
第１の主面を含むベース基材と、
前記ベース基材の第１の主面に取り付けられ、各アンカーが前記ベース基材の第１の主面に取り付けられたアンカーポリマー組成物の集団を含む２個のアンカーと、
前記２個のアンカー間に取り付けられて延在し、エラストマーポリマー組成物を含み、前記２個のアンカー間で前記基材の第１の主面に取り付けられず、そして前記２個のアンカー間の前記ベース基材の伸長によって伸長される弾性構成部品と
を含む弾性複合構造体。
【請求項４】
前記ベース基材の第１の主面が多孔性表面を含み、そして前記多孔性表面が前記アンカーの前記アンカーポリマー組成物の少なくとも一部によって浸透される、請求項３に記載の弾性複合構造体。